(57)【要約】【課題】カバーの固定を忘れた場合には、外蓋に内蓋が取り付けられないようにした炊飯器を提供する。【解決手段】カバー固定手段３１は、軸３２を受ける軸受部３１ａと、軸受部３１ａから上方へ延びる指掛け部３１ｂと、軸受部３１ａからケース１２側に斜め下方に延びるストッパ部３１ｃと、指掛け部３１ｂからケース１２の前面１２ａ側に延びる引っ掛け部３１ｄとで構成され、指掛け部３１ｂを手前に引いて引っ掛け部３１ｄを被引っ掛け部１３ａの溝部１３ｂから外したときには、軸３２を中止として、指掛け部３１ｂが凹部３ａの縁部３ｂに接触するように、また、ストッパ部３１ｃがケース１２の前面１２ａに接触するように傾く。【選択図】図１
2015008798.tif 000002
【特許請求の範囲】
【請求項１】
内釜が取り出し自在に収容され、前記内釜内の被加熱物を加熱する加熱手段を有する本体と、前記本体に第１ヒンジ部を介して設けられた外蓋と、前記外蓋に取り外し自在に取り付けられ、前記外蓋で前記本体の上部を開閉自在に閉じた際に、前記内釜の上部開口を閉塞する内蓋とを有する炊飯器において、
前記外蓋の内側に設けられ、前記内蓋と対向する面に開口を有し、更に、蒸気を外部に排出する蒸気口を有する凹部と、
前記内蓋に取り付けられ、上面に開口を有するケース、及び前記ケースに第２ヒンジ部を介して設けられ、前記ケースの開口を開閉自在に閉じるカバーを有し、前記外蓋に前記内蓋が取り付けられた際に前記凹部に収容され、前記内釜内と前記蒸気口とを連通する蒸気口ユニットと、
前記カバーの前記第２ヒンジ部側の背面と対向する前面から前方に突出して設けられ、上部に溝部を有する被引っ掛け部と、
前記ケースの前記第２ヒンジ部側の背面と対向する前面に設けられた軸と、
前記軸に設けられ、前記被引っ掛け部の溝部に引っ掛けて前記カバーを前記ケースに固定し、前記蒸気口ユニットと共に前記凹部に収容されるカバー固定手段とを備え、
前記カバー固定手段は、前記カバーを前記ケースに固定していないときには、前記軸を中心として前記ケースの前方に傾き、前記凹部の縁部に接触して前記蒸気口ユニットの前記凹部への収容を規制することを特徴とする炊飯器。
【請求項２】
前記カバー固定手段は、前記軸を受ける軸受部と、軸受部から上方へ延びる指掛け部と、前記軸受部から前記ケース側に斜め下方に延びるストッパ部と、前記指掛け部から前記ケースの前面側に延びる引っ掛け部とで構成され、前記指掛け部を前記ケース側に押したときに、前記引っ掛け部が前記被引っ掛け部の溝部に引っ掛けて前記カバーを前記ケースに固定し、前記指掛け部を手前に引いて前記引っ掛け部を前記被引っ掛け部の溝部から外したときには、前記軸を中心として、前記指掛け部が前記凹部の縁部に接触するように、また、前記ストッパ部が前記ケースの前面に接触するように傾くことを特徴とする請求項１記載の炊飯器。
【請求項３】
前記軸受部は、前記ケースと対向する面の反対側の部分が切り欠きされていることを特徴とする請求項１又は２記載の炊飯器。
【請求項４】
前記凹部の前記カバー固定手段と対向する側面には、前記カバー固定手段が前記蒸気口ユニットと共に前記凹部に収納される際に、前記指掛け部を前記カバー側に案内して前記引っ掛け部を前記被引っ掛け部の溝部に引っ掛けさせる傾斜部が設けられていることを特徴とする請求項２又は３記載の炊飯器。
【発明の詳細な説明】
【技術分野】
【０００１】
本発明は、炊飯時に発生する内釜内の蒸気を取り込んで、蒸気とおねばを分離して蒸気を外部へ排出する蒸気口ユニットを備えた炊飯器に関するものである。
【背景技術】
【０００２】
従来の炊飯器には、蓋に取り外し自在に取り付けられた蒸気口ユニットを備えたものがある。この蒸気口ユニットは、ケースと、ケースに嵌合するカバーと、カバーとケースを開閉自在に軸支するヒンジ部と、このヒンジ部に対向してケースとカバーを係止するロック機構と、ケースのロック機構の近傍に蓋の連通穴に挿入する突出部とを備えている（例えば、特許文献１参照）。
【先行技術文献】
【特許文献】
【０００３】
【特許文献１】特許第３３６３３７２号公報（特許請求の範囲）
【発明の概要】
【発明が解決しようとする課題】
【０００４】
前述のような蒸気口ユニットを内蓋に装着し、その内蓋を外蓋に取り外し自在に取り付ける炊飯器においては、カバーのケースへのロックを忘れたままの状態で、炊飯を行った場合には、ケースとカバーとの隙間から蒸気が噴出し、炊飯器内に蒸気が流入して故障の原因となったり、利用者が漏れた蒸気に触れる恐れがあるという課題がある。
【０００５】
本発明は、前述のような課題を解決するためになされたもので、カバーの固定を忘れた場合には、外蓋に内蓋が取り付けられないようにした炊飯器を提供することを目的とする。
【課題を解決するための手段】
【０００６】
本発明に係る炊飯器は、内釜が取り出し自在に収容され、内釜内の被加熱物を加熱する加熱手段を有する本体と、本体に第１ヒンジ部を介して設けられた外蓋と、外蓋に取り外し自在に取り付けられ、外蓋で本体の上部を開閉自在に閉じた際に、内釜の上部開口を閉塞する内蓋とを有する炊飯器において、外蓋の内側に設けられ、内蓋と対向する面に開口を有し、更に、蒸気を外部に排出する蒸気口を有する凹部と、内蓋に取り付けられ、上面に開口を有するケース、及びケースに第２ヒンジ部を介して設けられ、ケースの開口を開閉自在に閉じるカバーを有し、外蓋に内蓋が取り付けられた際に凹部に収容され、内釜内と蒸気口とを連通する蒸気口ユニットと、カバーの第２ヒンジ部側の背面と対向する前面から前方に突出して設けられ、上部に溝部を有する被引っ掛け部と、ケースの第２ヒンジ部側の背面と対向する前面に設けられた軸と、軸に設けられ、被引っ掛け部の溝部に引っ掛けてカバーをケースに固定し、蒸気口ユニットと共に凹部に収容されるカバー固定手段とを備え、カバー固定手段は、カバーをケースに固定していないときには、軸を中心としてケースの前方に傾き、凹部の縁部に接触して蒸気口ユニットの凹部への収容を規制する。
【発明の効果】
【０００７】
本発明によれば、カバー固定手段は、カバーをケースに固定していないときには、軸を中心としてケースの前方に傾き、凹部の縁部に接触して蒸気口ユニットの凹部への収容を規制するようにしている。これにより、カバーのケースへの固定を忘れたままの状態で炊飯を行うようなことがなくなり、このため、本体内への蒸気の流入による本体の故障を防止でき、利用者が蒸気に触れるようなことがなくなり、安全性が向上する。
【図面の簡単な説明】
【０００８】
【図１】実施の形態１に係る炊飯器において蓋を開けて示す斜視図。
【図２】図１に示す炊飯器の縦断面図。
【図３】図２の外蓋の一部及び内蓋を拡大して示す縦断面図。
【図４】実施の形態１に係る炊飯器の外蓋に内蓋を取り付ける前の状態を拡大して示す縦断面図。
【図５】図４の内蓋の外蓋への取り付けを規制した状態を示す縦断面図。
【図６】実施の形態２に係る炊飯器の外蓋の一部及び内蓋を示す縦断面図。
【図７】図６の凹部及び蒸気口ユニットの一部を拡大して示す縦断面図。
【図８】図７のカバー固定手段が蒸気口ユニットのカバーを固定した状態を示す断面図。
【発明を実施するための形態】
【０００９】
実施の形態１．
図１は実施の形態１に係る炊飯器において蓋を開けて示す斜視図、図２は図１に示す炊飯器の縦断面図、図３は図２の外蓋の一部及び内蓋を拡大して示す縦断面図である。
【００１０】
図１〜図３において、実施の形態１の炊飯器１００は、内部に米などの調理物である被加熱物を保持する内釜２が取り出し自在に収容され、内釜２を誘導加熱する加熱コイル６（加熱手段）を有する箱形形状の本体１と、本体１に第１ヒンジ部５を介して設けられた外蓋３と、外蓋３に取り外し自在に取り付けられ、外蓋３で本体１の上部を開閉自在に閉じた際に、内釜２の上部開口を閉塞する内蓋４とを備えている。前述の加熱コイル６は、それぞれ円環状に形成され、内釜２が収容される底部に配置されている。その底部の中央には、加熱コイル６により誘導加熱される内釜２の温度を検出する温度センサー７が設置されている。
【００１１】
外蓋３の内側には、内蓋４と対向する面に開口を有する凹部３ａが設けられている。この凹部３ａは、後述する蒸気口ユニット１１と蒸気口ユニット１１に取り付けられたカバー固定手段３１を収容する空間を有している。凹部３ａの上部には、蒸気を外部へ排出する蒸気口１９が設けられている。内蓋４の裏面には、蒸気口ユニット１１が設置されている。この蒸気口ユニット１１は、内蓋４の裏面に取り付けられ、上部に開口を有するケース１２と、ケース１２に第２ヒンジ部２１を介して設けられ、ケース１２の開口を開閉自在に閉じるカバー１３とで構成されている。内蓋４の裏面に装着された蒸気口ユニット１１は、外蓋３に内蓋４が取り付けられた際に凹部３ａに収容され、内釜２と蒸気口１９とを連通する。
【００１２】
カバー１３には、第２ヒンジ部２１側の背面と対向する前面に、上部開口の溝部１３ｂを有する被引っ掛け部１３ａが設けられている。この被引っ掛け部１３ａは、カバー１３の横方向（横幅）に延びており、カバー１３と一体に成形されている。また、カバー１３の内面には、蒸気の流れ方向に対してほぼ直角に下方に垂れ下がる障壁１８が設けられている。更に、カバー１３の障壁１８と背面との間の上部には、蒸気口１９と連結する連結部２３が取り外し自在に取り付けられている。この連結部２３は、例えば耐熱性を有するシリコンゴムなどからなっている。
【００１３】
ケース１２の底部には、例えば円筒形状の蒸気導入筒１５と蒸気導入筒１５に隣接する開閉弁１６とが設けられている。蒸気導入筒１５の下端部は、蒸気流入口１４として、内蓋４に設けられた穴と連結されている。開閉弁１６は、例えば耐熱性を有するシリコンゴムなどからなり、炊飯時に発生する内釜２内の蒸気圧に応じて上下動する。この開閉弁１６が自重により下がったときに、開閉弁１６の周囲に設けられた連通口（図示せず）が開く。
【００１４】
ケース１２の底部は、開閉弁１６に向けて下方に傾斜している。この底部の傾斜により、蒸気から分離されたおねばが開閉弁１６の周囲に流れて溜まる溜まり部２０が形成されている。また、ケース１２の底部には、上方へ延びる２つの障壁１７が設けられている。この２つの障壁１７は、前述の障壁１８を挟むように配置され、そのうちの開閉弁１６側の障壁１７には、おねばを溜まり部２０に流すための穴１７ａが設けられている。このケース１２の開口をカバー１３で閉じて、後述するカバー固定手段３１でカバー１３を固定したときには、カバー１３に設けられた円環状のパッキン２２によりケース１２内が密閉状態となる。
【００１５】
炊飯物（被加熱物）の入った内釜２を本体１内に収容し、蒸気口ユニット１１が装着された内蓋４と共に外蓋３を倒して本体１の上部を閉じて、炊飯を開始すると、加熱コイル６により内釜２が誘導加熱される。この誘導加熱により内釜２内の炊飯物から蒸気が発生すると、その蒸気は、蒸気流入口１４から流入し、蒸気導入筒１５を通って蒸気口ユニット１１内に入り、連結部２３側へと流れていく。この時、蒸気は、障壁１７、１８に当たって、蒸気に含まれるおねばが分離され、おねばの含有率の少ない蒸気が連結部２３を通って蒸気口１９から排出される。一方、開閉弁１６は、内釜２内の蒸気圧により上方に押し上げられ、開閉弁１６の周囲の連通口を閉じる。そして、誘導加熱が停止し内釜２内の圧力が低下すると、開閉弁１６は自重とおねばの重さにより下がり、連通口が開いて溜まり部２０に溜まったおねばが内釜２に戻る。
【００１６】
前述のカバー固定手段３１は、ケース１２の前面１２ａの手前側に配置された軸３２に取り付けられている。その軸３２は、ケース１２の前面１２ａの両端部に前方に突出して設けられた２つの支持板３３に支持されている。カバー固定手段３１は、横幅が被引っ掛け部１３ａの溝部１３ｂの長さとほぼ同じであり、軸３２に嵌合された軸受部３１ａと、軸受部３１ａから上方へ延びる板形状の指掛け部３１ｂと、軸受部３１ａからケース１２側に斜め下方に延びる板形状のストッパ部３１ｃと、指掛け部３１ｂからケース１２の前面１２ａ側に延びる板形状の引っ掛け部３１ｄとで構成されている。軸受部３１ａは、ケース１２と対向する面の反対側の部分が切り欠き３１ｅされている。この切り欠き３１ｅにより、軸３２の外周面の一部が露出して見える。
【００１７】
引っ掛け部３１ｄが、被引っ掛け部１３ａから完全に外れた位置にあるときには、凹部３ａの縁部３ｂに指掛け部３１ｂが接触する。また、カバー固定手段３１は開方向へ動作し、この開方向への動作は、カバー固定手段３１のストッパ部３１ｃがケース１２の前面１２ａに接触して停止する。
【００１８】
ケース１２の開口をカバー１３で閉じた後に、カバー固定手段３１の指掛け部３１ｂを指でケース１２側に押すと、引っ掛け部３１ｄの先端部がカバー１３の被引っ掛け部１３ａの溝部１３ｂに入り込んで引っ掛かり、カバー１３をケース１２に押さえ込むように固定する。
【００１９】
図４は実施の形態１に係る炊飯器の外蓋に内蓋を取り付ける前の状態を拡大して示す縦断面図、図５は図４の内蓋の外蓋への取り付けを規制した状態を示す縦断面図である。
前述したように、カバー固定手段３１によって、カバー１３がケース１２に固定されている場合においては、図４に示すように、外蓋３に内蓋４を取り付ける際、蒸気口ユニット１１がカバー固定手段３１と共に、外蓋３の凹部３ａ内に収容される。
【００２０】
一方、カバー固定手段３１でカバー１３を固定していない場合、つまり、カバー１３の固定を忘れて外蓋３に内蓋４を取り付けようとした場合、図５に示すように、カバー固定手段３１が軸３２を中心に傾いた状態となるため、指掛け部３１ｂの端部が凹部３ａの縁部３ｂに接触し、これに伴いストッパ部３１ｃがケース１２の前面１２ａに接触する。この時、カバー固定手段３１の回転が阻止され、内蓋４の外蓋３への取り付けが規制される。
【００２１】
以上のように、カバー１３の固定を忘れて外蓋３に内蓋４を取り付けようとした場合に、指掛け部３１ｂの端部が凹部３ａの縁部３ｂに接触し、ストッパ部３１ｃがケース１２の前面１２ａに接触して、カバー固定手段３１の回転を阻止すると共に、内蓋４の外蓋３への取り付けを規制する。これにより、カバー１３のケース１２への固定を忘れたままの状態で炊飯を行うようなことがなくなり、このため、本体１内への蒸気の流入による本体１の故障を防止でき、利用者が蒸気に触れるようなことがなくなり、安全性が向上する。
【００２２】
また、カバー固定手段３１の軸受部３１ａは、ケース１２と対向する面の反対側の部分が切り欠き３１ｅされているので、カバー固定手段３１を軸３２に組み立てる際、軸受部３１ａの切り欠き３１ｅの部分から軸３２への嵌め込みができ、組立作業が容易となる。また、指掛け部３１ｂの端部が凹部３ａの縁部３ｂに接触し、ストッパ部３１ｃがケース１２の前面１２ａに接触して、内蓋４の外蓋３への取り付けを規制するような状態となっても、カバー固定手段３１が軸３２から外れることがない。
【００２３】
実施の形態２．
図６は実施の形態２に係る炊飯器の外蓋の一部及び内蓋を示す縦断面図、図７は図６の凹部及び蒸気口ユニットの一部を拡大して示す縦断面図、図８は図７のカバー固定手段が蒸気口ユニットのカバーを固定した状態を示す断面図である。なお、図１〜図５で説明した実施の形態１と同様の部分には同じ符号を付している。
【００２４】
実施の形態２における炊飯器１００においては、外蓋３に設けられた凹部３ａの側面のうち、カバー固定手段３１と対向する側面の内面に、下端部に向かうに連れ斜めに傾斜する傾斜部１３ｃが設けられている。この傾斜部１３ｃは、カバー固定手段３１の引っ掛け部３１ｄの先端部が被引っ掛け部１３ａの溝部１３ｂに引っ掛かる前の中途半端な状態のときに、カバー固定手段３１の指掛け部３１ｂをカバー１３側に案内するために設けられている。
【００２５】
例えば、図７に示すように、カバー固定手段３１の引っ掛け部３１ｄの先端部が被引っ掛け部１３ａの溝部１３ｂに引っ掛かる前の中途半端な状態のときに、外蓋３に対し内蓋４を斜めにして、凹部３ａ内に蒸気口ユニット１１を入れていくと、カバー固定手段３１の指掛け部３１ｂが傾斜部１３ｃによりカバー１３側に案内される。この指掛け部３１ｂの案内に伴い、引っ掛け部３１ｄが被引っ掛け部１３ａ側に移動し、図８に示すように、引っ掛け部３１ｄの先端部が被引っ掛け部１３ａの溝部１３ｂ内に入って引っ掛かり、カバー１３をケース１２に固定する。
【００２６】
このように、カバー固定手段３１の引っ掛け部３１ｄの先端部が被引っ掛け部１３ａの溝部１３ｂに引っ掛かる前の中途半端な状態であっても、傾斜部１３ｃにより、カバー固定手段３１の指掛け部３１ｂがカバー１３側に案内されて、引っ掛け部３１ｄの先端部が被引っ掛け部１３ａの溝部１３ｂ内に入って引っ掛かるようにしている。このため、カバー１３の中途半端な閉状態における蒸気の漏れを防止でき、安全性が向上する。
【符号の説明】
【００２７】
１  本体、２  内釜、３  外蓋、３ａ  凹部、３ｂ  縁部、４  内蓋、５  第１ヒンジ部、６  加熱コイル、７  温度センサー、１１  蒸気口ユニット、１２  ケース、１２ａ  ケースの前面、１３  カバー、１３ａ  被引っ掛け部、１３ｂ  溝部、１３ｃ  傾斜部、１４  蒸気流入口、１５  蒸気導入筒、１６  開閉弁、１７、１８  障壁、１７ａ  穴、１９  蒸気口、２０  溜まり部、２１  第２ヒンジ部、２２  パッキン、２３  連結部、３１  カバー固定手段、３１ａ  軸受部、３１ｂ  指掛け部、３１ｃ  ストッパ部、３１ｄ  引っ掛け部、３１ｅ  切り欠き、３２  軸、３３  支持板、１００  炊飯器。
【図１】
2015008798.tif 000003
【図２】
2015008798.tif 000004
【図３】
2015008798.tif 000005
【図４】
2015008798.tif 000006
【図５】
2015008798.tif 000007
【図６】
2015008798.tif 000008
【図７】
2015008798.tif 000009
【図８】
2015008798.tif 000010